(57)【要約】【課題】生理用ショーツ等の吸収パッドを装着した場合に、就寝時やスポーツの際の液の後ろ漏れ、横漏れを防止する。【解決手段】吸収パッドを貼り付ける位置をマークしたＴバック形状のショーツを生理・失禁・介護用ショーツとして用い、後ろにあたる部分の幅を狭く補正した形態の吸収パッドを対応させる事で、就寝時やスポーツの際の液の後ろ漏れ、横漏れを防止する。【選択図】図１
0003133738.tif 000002
【実用新案登録請求の範囲】
【請求項１】
着脱可能な吸収パッドを取り付けることを目的とし、収縮性を持たせた生理用、失禁用、Ｔバック型のショーツ
【請求項２】
股間の液体の出口にあたる部分に目安となるマークを有する着脱可能な吸収パッドを取り付けることを目的とした生理用、失禁用ショーツ
【請求項３】
後ろ部分がＴバック型のショーツに沿って細いという特殊な形状をもつ、請求項１に対応する吸収パッド
【請求項４】
後ろ部分がＴバック型のショーツに沿った部分にのみ粘着テープを有する、請求項１に対応する吸収パッド
【請求項５】
ウイング部分のくびれをなくした吸収パッド
【請求項６】
ウイング部分の粘着テープを有しない吸収パッド
【請求項７】
請求項２に記載の目安となるマークに対応するマークを有する吸収パッド
【請求項８】
着脱可能な吸収パッドを取り付けることを目的として収縮性を持たせた、マジックテープ等での脱着ができる介護用Ｔバック型ショーツ
【考案の詳細な説明】
【技術分野】
【０００１】  本考案はＴバック型をした生理・失禁・介護を目的とするショーツと、それに対応する吸収パッドである。
【背景技術】
【０００２】  従来の技術は、例えば特開２００１−２４５９２９号（特許文献１）では、生理用ナプキンを股間部に密着させる為に、前身頃と後ろ身頃の股間部に渡り収縮性素材で形成された吊り上げ部材を設け、その両側部の後ろ身頃をゆるく覆う構成だった。
また例えば特開２００４−３２１５８９号（特許文献２）では、股部を有する衣類及び股部を有する衣類用アダプターが提案されている。前身頃、後ろ身頃とは遊離した帯状のテープをウエスト部分で縫着している。又アダプターとして衣類の外側に取り付ける構成である。
【考案の開示】
【考案が解決しようとする課題】
【０００３】  しかし、特許文献１に開示された生理用ショーツではショーツ自体を伸縮性布で形成しているため、着用時に圧迫感を生じ就寝時は寝心地が悪い。仰臥の姿勢で臀裂からナプキンが浮き上がりやすく後ろ漏れを防止できない。
また、特許文献２に開示された股部を有する衣類では衣類にテープが縫着されているためテープとの収縮率が適切である事が難しく使用に伴い変化し、かさばり、圧迫感から開放されない。また実際に発売されている吸収パッドはこのような衣類に対応しておらず、後ろ部分（テープ幅の狭いところ）でナプキン裏の粘着面どうしが合わさってしまいがちで使用済みの吸収パッドをとり外すのが不便である。股部を有する衣類用アダプターでは衣類の上からの装着するためズレが生じ密着力が弱く後ろ漏れを防止できない。【０００４】  本考案は上記問題を鑑みており、簡単にかつ圧迫感を少なく後ろ漏れを確実に解決し、ナプキンと対応する事でより使いやすくすることを課題にしている。
【課題を解決するための手段】
【０００５】  Ｔバック型のショーツは、収縮性をそのまま、または少し強くするだけで生理・失禁用ショーツとして優れた機能を発揮する。後身頃の股部が狭いので臀裂に確実に沿い、就寝時やスポーツの際にも吸収パッドはズレない。昔は収縮素材こそなかったが長い間生理帯といえばＴ字帯であったのは、人の股間の形を考えれば当然の事である。生理用ショーツが取り入れられ素材も進歩し、パッドはより大きく覆い、よりきつく締め付ける方が安心だという錯覚に囚われているが、ズレと後ろ漏れを防止できれば最小限の大きさの吸収パッドですみ快適に使用できる。また吸収パッドの後ろ部分を狭くすることで臀裂に収まり、ずれずに漏れを防止する。
【考案の効果】
【０００６】  Ｔバック型のショーツの後身頃の股部が狭いので股部及び臀裂に確実に沿い、就寝時やスポーツの際にも吸収パッドがずれずに漏れがない。形状によって位置が固定されるのであって強く締め付けられないので開放的である。液体を含んだ吸収パッドが広範囲にわたって肌に触れないので、肌への負担も少ない。対応する吸収パッドは後部が細く小さくなることでより臀裂に沿いずれない。吸収パッドが小さくなる事で安価になり、持ち運びや収納に便利である。
【考案を実施するための最良の形態】
【０００７】  Ｔバック型のショーツは今までは次の目的で使用される事が多い。一つはショーツのラインが表の薄手のスカートやパンツに響くのを防ぐことであり、二つ目はセクシーなイメージを男性に与えることである。一つ目の目的でつくられた機能的なものを生理用・失禁用としてデザインを見直したものが図１である。前身頃を十分に広く取ることでより安定し、後ろ部分は臀裂の終わる辺りから幅広にすれば吸収パッドを安定するのに十分であり、従来のＴバック型ショーツのイメージの抵抗感を和らげることができる。【０００８】  Ｔバック型生理・失禁・介護ショーツの股間の出血する部分に図２に示すように目星となるマークを付ける。従来のショーツは前身頃と後ろ身頃だけで縫製されたものから股間部の布を切り替えて縫製されたものまでデザインは様々である。吸収パッドは下ろしたショーツに貼り付けてから引き上げて装着するが、貼り付ける時に適切な位置からずれることが頻繁にあり失敗の原因になる事が多い。一回目は目星のマークに吸収パッドのマークを貼り付け、次回からは各人の使用状況によりマークの前後に調節する。吸収パッドはマークがなくても形状でその部分はわかるようになっている。ショーツのマークは簡単なデザインでよく、また刺繍でもプリントでもかまわない。【０００９】  Ｔバック型生理・失禁・介護用ショーツ単品でも十分な漏れ防止効果が得られるが、この上から重ね履きするショーツを組み合わせれば臀部を内側に軽く締めることになるため漏れ防止効果が高まる。従来の生理・失禁用ショーツに比べ簡易なことによる不安を取り除く事もできる。従来のＴバック型ショーツの精神的抵抗感を払拭できる。単品での使用は圧迫感が少なく洗濯も簡単で特に夏は快適であるのが、分離している事によりどちらの使用法も選択することができる。【００１０】  従来の生理用ナプキン等は出血等の多い日の夜用は縦の長さが４０ｃｍ前後、横幅は特に後ろが大きく広がっている。これは従来のショーツとナプキンで血液や尿等の後ろ伝いが防止できないからである。臀裂にあたる部分が平面として触れれば隙間は埋まらず血液や尿等は後ろ漏れが生じる。水分を含んだものが広い面積で皮膚を覆えば不快であり、蒸れや皮膚疾患が起こることもある。血液や尿等をなるべく点で吸収できれば吸収パッドをより小さくする事ができる。図３に示すように後ろ部分の幅はＴバック型ショーツの後ろ幅くらいに細くしやや盛り上がり自然に薄くなる形態が臀裂の隙間を埋め後ろ漏れを防止できる。Ｔバック型ショーツとの相乗効果で臀裂にしっかり収まりずれを生じない。また全体に小さくなる事で安価になり、持ち運びや収納に便利である。【００１１】  失禁用品を買うことに非常な抵抗感のある人が多いが、より小さくなれば心理的、経済的負担は軽減され収納にも便利である。尿漏れの失敗は大きな精神的ダメージに繋がるが、就寝時だけでなくスポーツや歩行、普段の生活においても失敗がなくなる。失敗によってショーツだけでなくシーツやパジャマの洗濯は非常に負担である。ショーツ・吸収パッド共にかさばらず持ち運びもそれ自体の洗濯も楽で旅行にも便利である。生理と違い毎日のことなので、精神的安心と開放感は自信につながり行動的にもなり、��来的には介護を必要とする人を減らすことにもなる。【００１２】  図３の４に示すように、Ｔバック型生理・失禁・介護ショーツに対応する部分に吸収パッドにもマークを付ける。吸収パッドを適切な位置装着する事ができる。血液や尿等は点で受け止めることができ、そこから放射状に吸収されるため、マーク部分周辺の吸収体の量は従来のものより多くする事が望ましい。【００１３】  図３の（Ａ）のようにウイング付きの吸収パッドは、血液や尿等は放射状に吸収されるのでウイングの根元部分がくびれていないほうが吸収力は高い。図３の（Ｃ）はウイング付き従来形態であるが、外すとき液で汚れたパッドがウイングの根元のくびれ部分で裂ける原因にもなる。ウイングの部分は裏面に貼り付ける必要はないので、ウイング部には接着テープがないほうが付け外しが楽である。【００１４】  従来の吸収パッドの後ろ部分がＴバック型ショーツに沿った部分にのみ粘着テープを有するようにすれば、Ｔバック型ショーツにも従来型ショーツにも対応できる。【００１５】  介護用のＴバック型ショーツはウエスト部をマジックテープで固定すれば、足の下からはかせなくてすむので取替えが楽でサイズ調整も可能である。安価であるので頻繁に取り替えることもできる。Ｔバック型ショーツ自体がコンパクトであるし、失敗も少ないのでパジャマ、シーツともに取替えや洗濯など介護側の負担軽減とともに、介護される側の精神的負担も減る。仰臥や車椅子の姿勢が多いが、常時の使用で圧迫感や皮膚への負担が少ない。マジックテープが仰臥の姿勢で腰、また横向きに寝たときに脇にあたらないように赤ちゃん用のオムツのように前斜め横が履かせ易く調整もしやすい。吸収パッドやショーツ、シーツ、パジャマ等のストックの負担も軽減される。個人のおむつ代等の経済的負担も減り、自治体の介護費負担の軽減にも繋がる。
【図面の簡単な説明】
【００１６】
【図１】本考案のＴバック型生理・失禁・介護用ショーツの実施例を示し、（Ａ）は正面図、（Ｂ）は背面図である
【図２】Ｔバック型生理・失禁・介護・医療用ショーツの展開図である
【図３】本考案の対応吸収パッドを示し、（Ａ）はウイングを有する形態、（Ｂ）は通常の形態、（Ｃ）は従来形態である
【符合の説明】
【００１７】  １  前身頃部
２  後身頃部
３  ショーツの目星マーク
４  吸収パッドの目星マーク
【図１】
0003133738.tif 000003
【図２】
0003133738.tif 000004
【図３】
0003133738.tif 000005
【手続補正書】
【提出日】平成19年4月27日(2007.4.27)
【手続補正１】
【補正対象書類名】実用新案登録請求の範囲
【補正対象項目名】全文
【補正方法】変更
【補正の内容】
【実用新案登録請求の範囲】
【請求項１】
臀裂にあたる部分が細いという形状を持つ、生理用、失禁用ショーツ
【請求項２】
股間の液体の出口にあたる部分に目安となるマークを有する、請求項１に記載の生理用、失禁用ショーツ
【請求項３】
臀裂にあたる部分が細いという形状を持つ吸収パッド
【請求項４】
股間の液体の出口にあたる部分に目安となるマークを有する、請求項３に記載の吸収パッド
【請求項５】
臀裂にあたる部分が細いという形状を持つ、マジックテープ（登録商標）で脱着ができる介護用ショーツ
【手続補正２】
【補正対象書類名】明細書
【補正対象項目名】全文
【補正方法】変更
【補正の内容】
【考案の詳細な説明】
【技術分野】
【０００１】  本考案は臀裂部分が細い生理用、失禁用、介護用ショーツと、対応吸収パッドである。
【背景技術】
【０００２】  従来の技術は、例えば特開２００１−２４５９２９号（特許文献１）では、生理用ナプキンを股間部に密着させる為に、前身頃と後ろ身頃の股間部に渡り収縮性素材で形成された吊り上げ部材を設け、その両側部の後ろ身頃をゆるく覆う構成だった。
また例えば特開２００４−３２１５８９号（特許文献２）では、股部を有する衣類及び股部を有する衣類用アダプターが提案されている。前身頃、後ろ身頃とは遊離した帯状のテープをウエスト部分で縫着している。又アダプターとして衣類の外側に取り付ける構成である。
【考案の開示】
【考案が解決しようとする課題】
【０００３】  しかし、特許文献１に開示された生理用ショーツではショーツ自体を伸縮性布で形成しているため、着用時に圧迫感を生じ就寝時は寝心地が悪い。仰臥の姿勢で臀裂からナプキンが浮き上がりやすく後ろ漏れを防止できない。
また、特許文献２に開示された股部を有する衣類では衣類にテープが縫着されているためテープとの収縮率が適切である事が難しく使用に伴い変化し、かさばり、圧迫感から開放されない。また実際に発売されている吸収パッドはこのような衣類に対応しておらず、臀裂部分でナプキン裏の粘着面どうしが合わさってしまいがちで使用済みの汚れた吸収パッドをとり外すのが不便である。股部を有する衣類用アダプターでは衣類の上からの装着するためズレが生じ密着力が弱く後ろ漏れを防止できない。【０００４】  本考案は上記問題を鑑みており、簡単にかつ圧迫感を少なく後ろ漏れを確実に解決し、ナプキンと対応する事でより使いやすくすることを課題にしている。
【課題を解決するための手段】
【０００５】  本考案のショーツは臀裂にあたる部分を細くする。対応する吸収パッドも臀裂にあたる部分を狭くすることで臀裂に確実に収まり、ずれずに漏れを防止する。また目星のマークを付けることで吸収パッドを適切な位置に装着する事ができる。
【考案の効果】
【０００６】  本考案のショーツは臀裂にショーツの細い臀裂部分が確実に沿い、就寝時やスポーツの際にも吸収パッドはずれずに漏れがない。形状によって沿うのであって、強く締め付けないので開放的である。液体を含んだ吸収パッドが広範囲にわたって肌に触れないので、肌への負担も少ない。対応する吸収パッドは臀裂部分が細く小さくなることで臀裂に収まる。これは体液を吸収する部分の位置固定にも効果がある。吸収パッドが小さくなる事で安価になり、持ち運びや収納に便利である。
【考案を実施するための最良の形態】
【０００７】  本考案のショーツはＴバック型ショーツと臀裂部分が細いという点で形状の一部が似ている。しかしＴバック型ショーツの目的は一つにはショーツのラインが表の薄手のスカートやパンツに響くのを防ぐことであり、二つ目は性的なイメージを男性に与えることである。一つ目の目的でつくられた収縮性を持たせた機能的なものを生理用、失禁用としてデザインを見直したものが図１である。前身頃と股間部は従来の生理用、失禁用、介護用ショーツと同程度とり、臀裂部分を細くし、臀裂の終わる辺りから幅広になっている。【０００８】  本考案のショーツの股間の体液の出口にあたる部分に図２に示すように目星となるマークを付ける。吸収パッドは下ろしたショーツに貼り付けてから引き上げて装着するが、貼り付ける時に適切な位置からずれると失敗の原因になる。請求項３の吸収パッドは全体に小さいので適切な位置に装着することが必要であり、吸収パッドは適切な位置に納まってこそ機能を発揮する。一回目は目星のマークに吸収パッドのマークを貼り付け、次回からは各人の使用状況によりマークの前後に調節する。マークは簡単なデザインでよく、また刺繍でもプリントでもよい。一つでなく複数でもよい。【０００９】  本考案のショーツ単品でも十分な漏れ防止効果が得られるが、この上から重ね履きするショーツを組み合わせれば臀部を内側に軽く締めることになるため漏れ防止効果が高まる。従来の生理・失禁用ショーツに比べ簡易で露出度が高いことによる抵抗感を払拭できる。単品での使用は圧迫感が少なく洗濯も簡単で特に夏は快適であるのが、分離している事によりどちらの使用法も選択することができる。【００１０】  従来の生理用ナプキン等は出血等の多い日の夜用は縦の長さが４０ｃｍ前後、横幅は特に後ろが大きく広がっている。これは従来のショーツとナプキンで血液や尿等の後ろ伝いが防止できないからである。臀裂にあたる部分が平面として触れれば隙間は埋まらず後ろ漏れが生じる。水分を含んだものが広い面積で皮膚を覆えば不快であり、蒸れや皮膚疾患が起こることもある。血液や尿等をなるべく点で吸収できれば吸収パッドをより小さくする事ができる。図３に示すように後ろ部分の幅は、臀裂部分が細い生理、失禁、介護用ショーツの後ろ幅と同等程度の細い形態が、臀裂の隙間を埋め後ろ漏れを防止できる。ショーツとの相乗効果で位置が固定され、ずれを生じない。また全体に小さくなる事で安価になり、持ち運びや収納に便利である。【００１１】  失禁用品を買うことに抵抗感のある人が多いが、より小さくなれば心理的、経済的負担は軽減され収納にも便利である。尿漏れの失敗は大きな精神的ダメージに繋がるが、就寝時だけでなくスポーツや歩行、普段の生活においても失敗がなくなる。失敗によってショーツだけでなくシーツやパジャマの洗濯は非常に負担である。ショーツ・吸収パッド共にかさばらず、持ち運びもそれ自体の洗濯も楽である。生理と違い毎日のことなので、精神的安心と開放感は自信につながり行動的にもなり影響は大きい。【００１２】  図３の４に示すように、体液の出口にあたる部分に吸収パッドにマークを付ける。吸収パッドを適切な位置に装着しやすい。血液や尿等を点で受け止めることができるので、マーク部分周辺の吸収体の量は多くする事が望ましい。【００１３】  介護用の臀裂部分が細い介護用ショーツは脇を縫い合わせず、後身頃と前身ごろをマジックテープ（登録商標）で赤ちゃん用のオムツのように前斜め横で固定すれば仰臥や横向きに寝たときにごわつかない。介護が楽で調整もしやすい。安価であるので頻繁に取り替えることもできる。失敗も少ないので吸収パッド、パジャマ、シーツなどの取替えや洗濯、ストックなど介護側の負担軽減とともに、介護される側の精神的負担も減る。仰臥や車椅子の姿勢が多いが、常時の使用で圧迫感や皮膚への負担が少ない。
【図面の簡単な説明】
【００１４】
【図１】本考案の臀裂部分が細い生理用、失禁用ショーツの実施例を示し、（Ａ）は正面図、（Ｂ）は背面図である
【図２】本考案のショーツの展開図である
【図３】本考案の対応吸収パッドを示し、（Ａ）はウイングを有する形態、（Ｂ）は通常の形態、（Ｃ）は従来形態である
【符合の説明】
【００１５】  １  前身頃部
２  後身頃部
３  ショーツの目星マーク
４  吸収パッドの目星マーク